(57)【特許請求の範囲】
【請求項１】
ＰＯＳ端末装置であって、
前記ＰＯＳ端末装置の筐体における背面部として取り付けることで、前記筐体の一部を構成する板状の第１カバーと、
前記第１カバーを取り外した状態でバッテリを収容するバッテリ収容部と、
第２カバーと、
を備え、
前記第２カバーは、前記バッテリ収容部に前記バッテリを収容した状態で、前記筐体における背面部側から取り付けることで、前記第１カバーに代わって前記筐体の一部を構成する、
ＰＯＳ端末装置。
【請求項２】
前記筐体は、前記第１カバーを取り付けた状態に比べて、前記第２カバーを取り付けた状態の方が、前面から背面へと向かう方向の長さである奥行きが長くなる、
請求項１に記載のＰＯＳ端末装置。
【請求項３】
前記第２カバーは、通気孔を有する、
請求項１又は２に記載のＰＯＳ端末装置。
【請求項４】
前記バッテリを前記バッテリ収容部に収容して保持するためのバッテリホルダを備える、
請求項１から３のいずれか１項に記載のＰＯＳ端末装置。
【請求項５】
前記バッテリホルダは、上端部から下端部まで連続する通気用間隙を有する、
請求項４に記載のＰＯＳ端末装置。
【請求項６】
前記バッテリホルダは、側面に設けられ、前記筐体に対する取り付け姿勢を維持するために前記筐体の内側面と係合するための側面側係合部と、下部両端に設けられ、前記筐体の底面と係合するための底面側係合部と、前記筐体への組み付け時には退避位置に位置し、ネジ止め時には固定位置に位置する固定金具と、を有する、
請求項４又は５に記載のＰＯＳ端末装置。
【請求項７】
前記第１カバーは、第１カバー側係合部を有し、
前記第２カバーは、第２カバー側係合部を有し、
前記筐体は、前記第１カバーの取り付け時において前記第１カバー側係合部と係合し、且つ、前記第２カバーの取り付け時において前記第２カバー側係合部と係合する筐体側係合部を有する、
請求項１から６のいずれか１項に記載のＰＯＳ端末装置。
【発明の詳細な説明】
【技術分野】
【０００１】
本開示は、ＰＯＳ（Point Of Sales）端末装置に関する。
【背景技術】
【０００２】
コンビニエンスストア等の店舗で、ＰＯＳ端末装置が使用されている。ＰＯＳ端末装置には、停電に対応するため、バッテリを装備するものがある。ユーザによっては、当初はバッテリを装備せずに運用していたＰＯＳ端末装置に、途中でバッテリを装備したいという要求がある。この要求に応えるための技術として、例えば、特許文献１には、バッテリが取り外し自在に装着されるバッテリ装着部を有する電子機器が開示されている。
【先行技術文献】
【特許文献】
【０００３】
【特許文献１】特開２００７−０５８５７９号公報
【発明の概要】
【発明が解決しようとする課題】
【０００４】
しかしながら、特許文献１に記載の技術では、予めバッテリを装備するためのスペースの確保が必要で、その分、筐体のサイズが大きくなり、ＰＯＳ端末装置に適用した場合には、バッテリ未登載時も顧客と接する精算場所のスペースを狭くしてしまうことになる。
【０００５】
本開示は、上述した課題を鑑み、予めバッテリを装備するためのスペースを確保しておく必要がなく、バッテリを装備することが可能なＰＯＳ端末装置を提供することを、その目的とする。
【課題を解決するための手段】
【０００６】
本開示の一態様に係るＰＯＳ端末装置は、前記ＰＯＳ端末装置の筐体における背面部として取り付けることで、前記筐体の一部を構成する板状の第１カバーと、前記第１カバーを取り外した状態でバッテリを収容するバッテリ収容部と、第２カバーと、を備え、前記第２カバーは、前記バッテリ収容部に前記バッテリを収容した状態で、前記筐体における背面部側から取り付けることで、前記第１カバーに代わって前記筐体の一部を構成する、ものである。
【発明の効果】
【０００７】
本開示により、予めバッテリを装備するためのスペースを確保しておく必要がなく、バッテリを装備することが可能なＰＯＳ端末装置を提供することができる。
【図面の簡単な説明】
【０００８】
【図１】実施形態１に係るＰＯＳ端末装置の一構成例を示す図である。
【図２】実施形態２に係る、バッテリ非搭載時のＰＯＳ端末装置の一構成例を示す斜視図である。
【図３】実施形態２に係る、バッテリ搭載時のＰＯＳ端末装置の一構成例を示す斜視図である。
【図４】図２のＰＯＳ端末装置に用いられるリアパネルの一例を示す６面図である。
【図５】図３のＰＯＳ端末装置に用いられるバッテリカバーの一例を示す６面図である。
【図６】図３のＰＯＳ端末装置に用いられる、バッテリを収容するバッテリホルダの一例を示す６面図である。
【図７】図６のバッテリホルダに収容されるバッテリの一例を示す斜視図である。
【図８】図６のバッテリホルダに固定金具を取り付ける様子を示す図である。
【図９】図６のバッテリホルダに固定金具を取り付けた状態を前方から見た斜視図である。
【図１０】図６のバッテリホルダに固定金具を取り付けた状態を後方から見た斜視図である。
【図１１】図７のバッテリを収容した図１０のバッテリホルダを示す斜視図である。
【図１２】図２のＰＯＳ端末装置においてリアパネルを取り外した筐体の一例を示す後方から見た斜視図である。
【図１３】実施形態２に係るＰＯＳ端末装置の筐体に、バッテリを収容したバッテリホルダを取り付ける様子を示す図である。
【図１４】実施形態２に係るＰＯＳ端末装置の筐体に、バッテリを収容したバッテリホルダを取り付ける様子を示す図である。
【図１５】実施形態２に係るＰＯＳ端末装置の筐体に、バッテリを収容したバッテリホルダを取り付けた後、バッテリカバーを取り付ける様子を示す図である。
【図１６】実施形態２に係るＰＯＳ端末装置の筐体に取り付けられたバッテリホルダから、バッテリを取り外す様子を示す図である。
【発明を実施するための形態】
【０００９】
以下、図面を参照して、実施形態について説明する。なお、実施形態において、同一又は同等の要素には、同一の符号を付し、重複する説明を省略する場合がある。
【００１０】
＜実施形態１＞
図１を参照して、実施形態１について説明する。図１は、実施形態１に係るＰＯＳ端末装置の一構成例を示す図である。図１（Ａ）はバッテリ非搭載時（第１形態）のＰＯＳ端末装置の例を、図１（Ｂ）はバッテリ搭載時（第２形態）のＰＯＳ端末装置の例を、それぞれ示している。
【００１１】
図１（Ａ）に示すように、本実施形態に係るＰＯＳ端末装置１は、ＰＯＳ端末装置１の筐体１ａにおける背面部として取り付けることで、筐体１ａの一部を構成する板状の第１カバー１ｂを備える。第１カバー１ｂは、リアカバー又はリアパネルと称することができる。なお、ＰＯＳ端末装置１の使用時の設置状態において店舗の店員が位置する側を前面とし、上記背面部とは顧客側が位置する側（後部側面側）を指すことができる。また、ＰＯＳ端末装置１は、筐体１ａの上部の前方側において、操作部を有する表示部（図示せず）などを備えることができる。
【００１２】
また、図１（Ｂ）に示すように、本実施形態に係るＰＯＳ端末装置１は、第１カバー１ｂを取り外した状態でバッテリ１ｅを収容するバッテリ収容部１ｃと、第２カバー１ｄと、を備える。第２カバー１ｄは、バッテリ収容部１ｃにバッテリ１ｅを収容した状態で、筐体１ａにおける背面部側から取り付けることで、第１カバー１ｂに代わって筐体１ａの一部を構成する。第２カバー１ｄは、バッテリカバーと称することができる。
【００１３】
このように、ＰＯＳ端末装置１は、図１（Ａ）に示すようなバッテリ１ｅを装備しない第１形態、もしくは図１（Ｂ）に示すようなバッテリ１ｅを装備する第２形態で使用されることができる構成を有する。
【００１４】
本実施形態によれば、予めバッテリを装備するためのスペースを確保しておく必要がなく、バッテリを装備することが可能なＰＯＳ端末装置を提供することができる。
【００１５】
＜実施形態２＞
図２〜図１６を参照して、実施形態２について説明するが、実施形態１で説明した様々な例が適用できる。図２は、実施形態２に係る、バッテリ非搭載時（第１形態）のＰＯＳ端末装置の一構成例を示す斜視図で、図３は、実施形態２に係る、バッテリ搭載時（第２形態）のＰＯＳ端末装置の一構成例を示す斜視図である。図２及び図３では、ＰＯＳ端末装置を背面側の斜め後方から見た状態を示している。
【００１６】
図２に示す第１形態のＰＯＳ端末装置１０ａは、バッテリを装備していない。ＰＯＳ端末装置１０ａは、図示しない制御基板（制御部）等が内蔵されている筐体１１とオペレータ用ディスプレイ１５とを有している。オペレータ用ディスプレイ１５は、タッチパネル付きディスプレイ（不図示）を有することができる。ＰＯＳ端末装置１０ａは、図示しないバーコードリーダやプリンタ等の付属装置が接続されて使用される。付属装置の接続ケーブルは、例えば、筐体１１の底面に設けられた切り欠き部（図１２を参照して後述する）を通して制御基板の回路と接続されることができる。
【００１７】
筐体１１の正面には、図示はしないが、電源スイッチ、電源のＯＮ／ＯＦＦ状態等を示すＬＥＤ（Light Emitting Diode）、オペレータ向けスピーカ孔が設けられることができる。筐体１１の上面には、カスタマ向けスピーカ孔１３が設けられることができる。筐体１１の側面には、通風孔（通気孔）１２を設けておくことができる。通気孔１２は、対向する側面にも設けておくことができる。筐体１１の後部側面には、板状のリアパネル１４が装着されている。
【００１８】
ＰＯＳ端末装置１０ａの筐体１１は、略直方体とすることができる。筐体１１の略長方形である上面の一方の短辺近傍にオペレータ用ディスプレイ１５が配置されている。オペレータ用ディスプレイ１５は、水平方向の時計回りと反時計回りにそれぞれ９０度回動可能な回動軸１６を有している。また、図示しないが、略長方形である上面の他方の短辺近傍にカスタマ用ディスプレイを配置しておくことができる。筐体１１のオペレータ用ディスプレイ１５及びカスタマ用ディスプレイは、ヒンジを介して回動軸１６に取り付けられており、例えば、垂直方向に例えば０〜＋４５度回動可能とすることができる。
【００１９】
図３に示す第２形態のＰＯＳ端末装置１０ｂは、バッテリを装備しており、筐体の後部にバッテリカバー１７が取り付けられている。つまり、第２形態においては、リアパネル１４が外された状態で、バッテリが装着され、リアパネル１４に替えてバッテリカバー１７が装着されている。
【００２０】
また、第２形態のＰＯＳ端末装置１０ｂは、長手方向の長さが、バッテリカバー１７の幅Ｄの分だけ、第１形態のＰＯＳ端末装置１０ａよりも長くなっている。つまり、筐体１１は、リアパネル１４を取り付けた状態に比べて、バッテリカバー１７を取り付けた状態の方が、前面から背面へと向かう方向の長さである奥行きが長くなっている。ＰＯＳ端末装置１０ｂのその他の構成は、基本的にＰＯＳ端末装置１０ａと同様である。
【００２１】
図４は、第１形態のＰＯＳ端末装置１０ａに用いられるリアパネル１４の一例を示す６面図である。図４（Ａ）は正面図、図４（Ｂ）は背面図、図４（Ｃ）は左側面図、図４（Ｄ）は右側面図、図４（Ｅ）は平面図、図４（Ｆ）は底面図である。
【００２２】
図４で例示するように、リアパネル１４は、板状であり、湾曲したものとすることができる。リアパネル１４は、略板状であればよく、図示したように湾曲していてもよいし、また、その端部に折り曲がった部分を有することもできる。
【００２３】
リアパネル１４は、上辺部に２つの係合凸部１４ａ、左側辺部に１つの係合凸部１４ｂ、右側辺部に１つの係合凸部１４ｃ、下辺部に２つの係合凸部１４ｄを有することができる。上辺部の２つの係合凸部１４ａ、左側辺部の１つの係合凸部１４ｂ、及び右側辺部の１つの係合凸部１４ｃは、筐体１１に設けられた対応する係合凹部と係合する。下辺部の２つの係合凸部１４ｄは、筐体１１の底面に設けられた２つの受け部（図１２を参照して後述する）と係合する。
【００２４】
図５は、第２形態のＰＯＳ端末装置１０ｂに用いられるバッテリカバー１７の一例を示す６面図である。図５（Ａ）は正面図、図５（Ｂ）は背面図、図５（Ｃ）は左側面図、図５（Ｄ）は右側面図、図５（Ｅ）は平面図、図５（Ｆ）は底面図である。
【００２５】
図５で例示するように、バッテリカバー１７は、ＰＯＳ端末装置１０ｂにおける背面及び底面に当たる部分が開口している。バッテリカバー１７は、上辺部に２つの係合凸部１７ａ、左側辺部に１つの係合凸部１７ｂ、右側辺部に１つの係合凸部１７ｃを有することができる。これら４つの係合凸部１７ａ，１７ａ，１７ｂ，１７ｃは、筐体１１に設けられた対応する係合凹部と係合する。
【００２６】
バッテリカバー１７の４つの係合凸部１７ａ，１７ａ，１７ｂ，１７ｃが係合する筐体１１に設けられた対応する係合凹部は、リアパネル１４の４つの係合凸部１４ａ，１４ａ，１４ｂ，１４ｃが係合する筐体に設けられた対応する係合凹部と同一である。
【００２７】
このように、リアパネル１４は、４つの係合凸部１４ａ〜１４ｃで例示したリアパネル側係合部を有し、バッテリカバー１７は、４つの係合凸部１７ａ〜１７ｃで例示したバッテリカバー側係合部を有することが好ましい。そして、筐体１１は、リアパネル１４の取り付け時においてリアパネル側係合部と係合し、且つ、バッテリカバー１７の取り付け時においてバッテリカバー側係合部と係合する筐体側係合部を有することが好ましい。
【００２８】
つまり、第１形態では、リアパネル１４に設けられている係合部と、筐体１１に設けられている筐体凹部との係合によってリアパネル１４が筐体１１に装着される。一方で、第２形態では、バッテリカバー１７に設けられている係合部と、上記筐体凹部との係合によってバッテリカバー１７が筐体１１に装着される。このように、リアパネル１４は、筐体１１の係合部との係合によって装着されるものであり、バッテリカバー１７は、リアパネル１４が係合する筐体１１の同一の係合部との係合によって装着されることが好ましい。
【００２９】
また、バッテリカバー１７の上部には、通気孔１７ｄが設けられている。この例のように、バッテリカバー１７は通気孔を有することができ、これにより放熱が可能となる。
【００３０】
図６は、第２形態のＰＯＳ端末装置１０ｂに用いられる、バッテリを収容するバッテリホルダの一例を示す６面図である。図６（Ａ）は正面図、図６（Ｂ）は背面図、図６（Ｃ）は左側面図、図６（Ｄ）は右側面図、図６（Ｅ）は平面図、図６（Ｆ）は底面図である。
【００３１】
ＰＯＳ端末装置１０ｂは、筐体１１側のバッテリ収容部（実施形態１を参照）に、バッテリとともに収容されるようなバッテリホルダ１８を有することができる。つまり、このバッテリホルダ１８は、バッテリを上記バッテリ収容部に収容して保持するためのホルダである。つまり、第２形態においては、リアパネル１４が外された状態で、バッテリを収容するバッテリホルダ１８が取り付けられ、リアパネル１４に替えてバッテリカバー１７が装着されることになる。
【００３２】
また、図６で例示するように、バッテリホルダ１８には、筐体１１の内部の熱をバッテリに伝わり難くするため、上端部から下端部まで貫通している３箇所の通気用間隙１８ａが設けられている。通気用間隙１８ａの数は問わず、また放熱のために設けることが好ましいが、設けなくてもよい。また、この通気用間隙１８ａは、バッテリを装着した際に、そのバッテリとＰＯＳ端末装置１０ｂの前面側の内部（制御基板の回路を有する部分）との間に配することが好ましい。また、通気用間隙１８ａは、上述した通気孔１７ｄに対し、例えば水平方向の位置が同じとするなど、より良い通気が可能となるような形状や位置を有することが好ましいと言える。
【００３３】
また、バッテリホルダ１８には、バッテリを収容するバッテリ収容部（ホルダ部）１８ｂ、３つの係合部１８ｃ，１８ｄ，１８ｅ、固定金具取付孔１８ｆ、及びコネクタ取付孔１８ｇが設けられている。コネクタ取付孔１８ｇは、バッテリのコネクタを取り付ける孔であり、バッテリ及びそのコネクタについては図７を参照して後述する。３つの係合部１８ｃ，１８ｄ，１８ｅについては、図１０を参照して後述する。
【００３４】
図７は、バッテリホルダ１８に収容されるバッテリの一例を示す斜視図である。図７で例示するように、バッテリ１９は、略直方体の形状を有することができ、そのバッテリ１９からは、接続のための線が引き出され、その端部にコネクタ１９ａが設けられている。
【００３５】
図８は、バッテリホルダに固定金具を取り付ける様子を示す図である。図８（Ａ）は単体での固定金具の一例を示す斜視図である。図８（Ｂ）に示すように、バッテリホルダ１８の固定金具取付孔１８ｆに、図８（Ａ）で示す固定金具１８ｈを差し込み、図８（Ｃ）に示すように、９０度回転させると固定金具１８ｈがバッテリホルダ１８から外れなくなる。
【００３６】
図９には、このようにして固定金具１８ｈを取り付けたバッテリホルダ１８の前方（ＰＯＳ端末装置１０ｂとして見た後方）からの斜視図を示している。
【００３７】
図１０は、固定金具１８ｈを取り付けたバッテリホルダ１８の後方（ＰＯＳ端末装置１０ｂとして見た前方）からの斜視図である。前述したように、バッテリホルダ１８の前面（ＰＯＳ端末装置１０ｂとして見た前面）下部の両端には、それぞれ係合部（第１係合部１８ｃ、第２係合部１８ｄ）が設けられている。固定金具１８ｈから遠い係合部（第２係合部１８ｄ）には、立設するように、もうひとつの係合部である第３係合部１８ｅが設けられている。第１係合部１８ｃと第２係合部１８ｄは、筐体１１からの落下を防止するための係合部であり、第３係合部１８ｅは、取り付け姿勢を維持するための係合部である。
【００３８】
このように、バッテリホルダ１８は、下部両端に設けられ、筐体１１の底面と係合するための底面側係合部と、側面に設けられ、筐体１１に対する取り付け姿勢を維持するために筐体１１の内側面と係合するための側面側係合部と、を有することが好ましい。上記底面側係合部は、第１係合部１８ｃ及び第２係合部１８ｄで例示したものであり、上記側面側係合部は、第３係合部１８ｅで例示したものである。さらに、バッテリホルダ１８は、筐体１１への組み付け時には退避位置に位置し、ネジ止め時には固定位置に位置する固定金具１８ｈを有することが好ましい。
【００３９】
図１１は、バッテリ１９を収容したバッテリホルダ１８を示す斜視図である。バッテリ１９のコネクタ１９ａが、コネクタ取付孔１８ｇに下側から挿入されて取り付けられている。なお、バッテリホルダ１８のホルダ部１８ｂにおけるバッテリ１９と対向する面に、クッション材（不図示）が貼付された後に、ホルダ部１８ｂにバッテリ１９が収容されることができる。
【００４０】
図１２は、図２のＰＯＳ端末装置１０ａにおいて、リアパネル１４を取り外した筐体１１の一例を示す後方から見た斜視図である。図１２（Ａ）は筐体１１を右方後方から見た斜視図で、図１２（Ｂ）は左方後方から見た斜視図である。前述したように、筐体１１の底面には、付属装置の接続ケーブルを通すための切り欠き部１１ａが設けられている。このように、筐体１１は、リアパネル１４を取り付けた状態で、底面が開口部を有するようになる切り欠き部１１ａを有することが望ましい。
【００４１】
図１２（Ｂ）に示すように、切り欠き部１１ａの右側には、バッテリホルダ１８の第１係合部１８ｃと係合する第１係合孔１１ｃが設けられている。図１２（Ａ）に示すように、切り欠き部１１ａの左側には、バッテリホルダ１８の第２係合部１８ｄと係合する第２係合孔１１ｄ、及び第３係合部１８ｅと係合する係合凹部１１ｅが設けられている。第１係合孔１１ｃと第２係合孔１１ｄには、それぞれ左側に幅の狭い狭小部１１ｃａ，１１ｄａを設けておくことができる。
【００４２】
また、図１２（Ａ），（Ｂ）に示すように、切り欠き部１１ａの左側及び右側には、２つの受け部１１ｂを備えておくことができる。２つの受け部１１ｂは、上述したように、リアパネル１４の下辺部の２つの係合凸部１４ｄと係合するための部位である。
【００４３】
図１３及び図１４は、バッテリ１９を収容したバッテリホルダ１８を、筐体１１に取り付ける様子を示す図で、図１５は、その後、バッテリカバー１７を取り付ける様子を示す図である。図１３（Ａ）に示すように、バッテリホルダ１８を傾けつつ、バッテリホルダ１８の第１係合部１８ｃを筐体１１の第１係合孔１１ｃ（図１２参照）に、バッテリホルダ１８の第２係合部１８ｄを筐体１１の第２係合孔１１ｄに差し込む。図１３（Ａ）に示すように、この段階でバッテリホルダ１８は傾けた状態である。次に、図１３（Ｂ）に示すように、傾けていたバッテリホルダ１８を引き起こす。この時、図示するように、固定金具１８ｈは、筐体１１と衝突してバッテリホルダ１８を引き起こすことを阻害することがないように、後ろに傾けて退避させておくとよい。
【００４４】
そして、図１４（Ａ）に示す矢印方向にバッテリホルダ１８を移動させると、次のようになる。即ち、バッテリホルダ１８の第１係合部１８ｃ、第２係合部１８ｄがそれぞれ筐体１１の第１係合孔１１ｃの狭小部１１ｃａ、第２係合孔１１ｄの狭小部１１ｄａに入り込むとともに、バッテリホルダ１８の第３係合部１８ｅが筐体１１の係合凹部１１ｅに係合する。
【００４５】
その後に、図１４（Ｂ）に示すように、傾けていた固定金具１８ｈを起こして、筐体１１に設けられているネジ孔にネジ２１で固定する。即ち、バッテリホルダ１８を組み付ける際には、固定金具１８ｈを退避位置に退避させ、ネジ止めする際には、固定位置に進出させる。最後に、図１５に示すように、バッテリ１９のコネクタ１９ａに装置内からのケーブル２０を接続し、バッテリカバー１７を取り付ける。
【００４６】
図１６は、筐体１１に取り付けられたバッテリホルダ１８から、バッテリ１９を取り出す様子を示す図である。図１６（Ａ）は、バッテリカバー１７を取り外し、バッテリ１９のコネクタ１９ａから、装置内からのケーブル２０を取り外した状態を示している。図１６（Ｂ）に示すように、バッテリ１９のコネクタ１９ａをバッテリホルダ１８のコネクタ取付孔１８ｇから外した後、バッテリ１９をバッテリホルダ１８から取り出すことができる。よって、このようなバッテリ１９の取り外しが可能なようにバッテリホルダ１８のホルダ部１８ｂの高さを設計しておくことが好ましいと言える。
【００４７】
上述したように、ＰＯＳ端末装置１０ａ，１０ｂで例示した本実施形態に係るＰＯＳ端末装置は、予めバッテリ１９を装備するためのスペースを確保しておく必要がなく、バッテリ１９を装備することが可能である。また、ＰＯＳ端末装置１０ａで示すバッテリ１９を装備しない形態において、装置のサイズを小さくすることができる。即ち、ＰＯＳ端末装置１０ａのように、バッテリ１９を装備しない形態において、装置の占有スペースを小さくすることができる。
【００４８】
＜その他＞
以上、各実施形態に係るＰＯＳ端末装置について説明したが、図面で例示した各構成要素の形状や大きさなどは問わず、各構成の機能が果たせればよい。また、図面で例示した構成において、係合箇所が存在する構成要素があるが、その形状や大きさはこれに限ったものではなく、また凹部と凸部とが逆であってもよい。
【００４９】
なお、本開示は上記実施形態に限られたものではなく、趣旨を逸脱しない範囲で適宜変更することが可能である。また、本開示は、それぞれの実施形態を適宜組み合わせて実施されてもよい。
【符号の説明】
【００５０】
１、１０ａ、１０ｂ  ＰＯＳ端末装置
１ａ  筐体
１ｂ  第１カバー
１ｃ  バッテリ収容部
１ｄ  第２カバー
１ｅ  バッテリ
１１  筐体
１１ａ  切り欠き部
１１ｂ  受け部
１１ｃ、１１ｄ  係合孔
１１ｃａ、１１ｄａ  狭小部
１１ｅ  係合凹部
１２  通気孔
１３  スピーカ孔
１４  リアパネル
１４ａ、１４ｂ、１４ｃ、１４ｄ、１４ｄ  係合凸部
１５  オペレータ用ディスプレイ
１６  回動軸
１７  バッテリカバー
１７ａ、１７ｂ、１７ｃ  係合凸部
１７ｄ  通気孔
１８  バッテリホルダ
１８ａ  通気用間隙
１８ｂ  ホルダ部
１８ｃ、１８ｄ、１８ｅ  係合部
１８ｆ  固定金具取付孔
１８ｇ  コネクタ取付孔
１８ｈ  固定金具
１９  バッテリ
１９ａ  コネクタ
２０  ケーブル
２１  ネジ
【要約】
【課題】予めバッテリを装備するためのスペースを確保しておく必要がなく、バッテリを装備することが可能なＰＯＳ端末装置を提供する。
【解決手段】ＰＯＳ端末装置１は、ＰＯＳ端末装置１の筐体１ａにおける背面部として取り付けることで、筐体１ａの一部を構成する板状の第１カバー１ｂと、第１カバー１ｂを取り外した状態でバッテリ１ｅを収容するバッテリ収容部１ｃと、第２カバー１ｄと、を備える。第２カバー１ｄは、バッテリ収容部１ｃにバッテリ１ｅを収容した状態で、筐体１ａにおける背面部側から取り付けることで、第１カバー１ｂに代わって筐体１ａの一部を構成する。
【選択図】図１【図１】
0006795219.tif 000002
【図２】
0006795219.tif 000003
【図３】
0006795219.tif 000004
【図４】
0006795219.tif 000005
【図５】
0006795219.tif 000006
【図６】
0006795219.tif 000007
【図７】
0006795219.tif 000008
【図８】
0006795219.tif 000009
【図９】
0006795219.tif 000010
【図１０】
0006795219.tif 000011
【図１１】
0006795219.tif 000012
【図１２】
0006795219.tif 000013
【図１３】
0006795219.tif 000014
【図１４】
0006795219.tif 000015
【図１５】
0006795219.tif 000016
【図１６】
0006795219.tif 000017